(57)【要約】【課題】大型のポンプを用いることなく、吐水に充分大きな流速変動を与えることができ、吐水から着水までの距離が短い場合であっても充分に大きな水塊を形成することが可能な吐水装置を提供すること。【解決手段】この吐水装置は、水溜部に空気を導入する空気導入口１０ａを有し、空気導入口１０ａから導入した空気を泡状にした気泡を生成するとともに、この気泡を通水経路部１０５に間欠的に供給する気泡供給手段を備え、気泡供給手段は、噴射口１０ｂとは別に設けられ、噴射口１０ｂから噴射される噴流ＷＳｍの流速よりも低い流速の副水流ＷＳｓを水溜部１０６に導入する副水流導入口１０４と、副水流ＷＳｓを通水経路部１０５における噴射口１０ｂ寄りの位置に供給する副水流ガイド壁１０７Ａと、を有する。【選択図】図８
2014070332.tif 000002
【特許請求の範囲】
【請求項１】
人体に向けて水を吐出する吐水装置であって、
水を供給する給水路と、
前記給水路から供給された水を下流側に向けて加速させ、加速噴流として噴射する噴射口と、
前記噴射口の下流側に設けられ、前記加速噴流を外部に吐出する吐出口が設けられた吐出流路と、
前記噴射口と前記吐出流路との間に設けられ、前記噴射口から前記吐出流路に至る前記加速噴流が通過する経路である通水経路部及び前記通水経路部に隣接させて溜水を形成するための水溜部を有する水溜室と、
前記水溜部で少なくとも一つの大気泡を生成するとともに、この生成した大気泡を前記通水経路部に間欠的に供給する気泡供給手段と、を備え、
前記気泡供給手段は、
前記水溜部に空気を導入する空気導入口と、
前記噴射口とは別に設けられ、前記噴射口から噴射される前記加速噴流の流速よりも低い流速の副水流を前記水溜部に導入する副水流導入口と、
前記副水流を前記通水経路部における前記噴射口寄りの位置に供給する副水流供給手段と、を有することを特徴とする吐水装置。
【請求項２】
前記副水流供給手段は、前記通水経路部とは離隔した前記水溜部における前記噴射口寄りの位置に前記副水流を供給するように構成されていることを特徴とする請求項１に記載の吐水装置。
【請求項３】
前記空気導入口は、導入した空気を大気泡として前記通水経路部の前記噴射口寄りの位置に供給するために前記水溜部における前記噴射口寄りの位置に配置されており、
前記副水流導入口は、前記大気泡の生成を阻害しないように前記水溜部において前記空気導入口よりも前記吐出流路寄りの位置に配置されており、
前記副水流供給手段は、前記副水流導入口から前記水溜部に導入された前記副水流を、前記加速噴流の進行方向と反対方向に誘導する副水流ガイド壁を有していることを特徴とする請求項２に記載の吐水装置。
【請求項４】
前記副水流ガイド壁は、前記副水流導入口から前記水溜部に導入された前記副水流が前記加速噴流の進行方向に沿って流れることを抑制する逆流防止壁を有することを特徴とする請求項３に記載の吐水装置。
【請求項５】
前記副水流ガイド壁は、前記水溜部に形成される旋回流が前記空気導入口の近傍を流れることができるように構成されていることを特徴とする請求項３に記載の吐水装置。
【請求項６】
前記副水流ガイド壁は、前記水溜部に形成される旋回流が前記空気導入口に向かう流れとなるように案内する旋回流ガイド壁を有することを特徴とする請求項５に記載の吐水装置。
【発明の詳細な説明】
【技術分野】
【０００１】
本発明は、吐水装置に関する。
【背景技術】
【０００２】
人体を洗浄するための吐水装置は、洗浄感を高めることが求められている。洗浄感は、吐水装置から吐出された水が人体に当たった場合の刺激感と量感とによって左右される感覚である。刺激感と量感とを吐出される水の性状に当てはめると、刺激感とは水の流速に代表される物理量であり、量感とは人体に当たった水の面積（人体に当たる直前の水の断面積にも相当する）に代表される物理量である。換言すれば、刺激感は水の流速に応じて使用者が感じる水の刺激の強さであって、水の流速が速くなれば刺激感が強くなり、水の流速が遅くなれば刺激感が弱くなるものである。また、量感は人体に当たった水の面積に応じて使用者が感じる水の量の多少であって、水の面積が広くなれば量感が強くなり、水の面積が狭くなれば量感が弱くなるものである。
【０００３】
一方で吐水装置には、より節水性能を高めることも求められている。節水性能を高めるには、吐水装置から吐出される水の量を減らすことが必要であるものの、単純に吐出される水の量を減らせば量感が低減されることになり、洗浄感に不満を抱く使用者が増えるおそれがある。
【０００４】
そこで、連続的な線状の吐水を間欠的な水塊による吐水に変換することで、低水量でありながら、人体に当たる水の面積を確保し、量感を損ねない技術が提案されている。この技術の一例としては、下記特許文献１に記載のものが提案されている。下記特許文献１に記載の技術では、吐水に噴射速度が速い第一部分と噴射速度が遅い第二部分とを交互に形成し、人体への着水前に第一部分が第二部分に追いつくことで、大きな水塊を形成している。下記特許文献１に記載の技術では、このような速度差を形成するために、吐水装置への給水圧よりも高い圧力を間欠的に加えて、吐水圧を大きく変動させることが利用されている。このように吐水圧を大きく変動させることで、吐水に間欠的な流速変動が起きることから、上述したような間欠的な水塊による吐水が実現される。
【０００５】
下記特許文献１に記載の技術は、間欠的な水塊による吐水を確実に実現するためには優れた技術であるけれども、給水圧よりも高い圧力を加えるために比較的大型のポンプが必要となる。このような比較的大型のポンプが必須のものとされれば、吐水装置全体が高価なものとなり、装置の大型化にも繋がるおそれがある。
【０００６】
ポンプを用いずに吐水の流速を周期的に変動させる技術としては、下記特許文献２に記載のものが提案されている。下記特許文献２では、吐水に気泡を混入させることで吐水の流速変動を起こさせている。同文献の記載によれば、洗浄水の中に気泡として混入された空気の量がより多い部分では、その部分の洗浄水の速度は、より高速になる。一方で、洗浄水の中に気泡として混入された空気の量がより少ない部分では、その部分の洗浄水の速度は、より低速になる。これにより、吐水には、高速な部分と低速な部分との繰り返しが生ずる。
【先行技術文献】
【特許文献】
【０００７】
【特許文献１】特開２００１−９０１５１号公報
【特許文献２】特許第４５７２９９９号公報
【発明の概要】
【発明が解決しようとする課題】
【０００８】
上記特許文献２の技術思想は、洗浄水中への空気の混入量を変化させることで吐水に流速変動を与えるものである。しかしながら、本発明者らによる検討によって、上記特許文献２の技術思想では、吐水に大きな流速変動を与えることが困難であることが判明した。上記特許文献２の段落００４７では、洗浄水に効率的に空気を混入させるため、細かい気泡を洗浄水に供給することが望ましいものと記載されている。しかしながら、このように細かい気泡を洗浄水に混入させ、更にその混入量を変化させたとしても、吐水に大きな流速変動を付与することは難しいことを本発明者らは見出した。このように吐水の流速変動が小さいと、比較的速度の速い吐水部分が比較的速度の遅い吐水部分に追いつくまでの時間が長く必要となり、対象となる人体に着水するまでに水塊が充分に成長しない場合がある。
【０００９】
本発明者らはこのような課題に対処し、大型のポンプを用いることなく、吐水に充分大きな流速変動を与えることができ、吐水から着水までの距離が短い場合であっても充分に大きな水塊を形成することが可能な吐水装置を提供するべく、検討を行った。その結果、通水経路部とこれに隣接する水溜部とを有する水溜室を構成し、通水経路部に加速噴流を通すと共に、通水経路部に対して十分に成長した大気泡を間欠的に供給することで、通水経路部を水で満たした水リッチ状態と、通水経路部を空気で満たした空気リッチ状態とを交互に形成する吐水装置の提案に至った。
【００１０】
このような吐水装置では、水溜部に導入した空気を成長させるため、水溜部内に旋回流を発生させることが好ましいことを本発明者らは見出した。さらに、旋回流の流速は加速噴流の流速に比較して低く抑制することが大気泡の成長の観点からは好ましく、加速噴流を噴射する噴射口とは別に副水流導入口を設け、この副水流導入口から副水流を水溜部に導入することで旋回流を形成することが好ましいことも見出した。
【００１１】
ところで、この種の吐水装置では衛生上の観点から、不使用時には水溜室から水を抜いておくことが好ましいため、始動時には水溜室内に水が溜められていない状態となっている。このような無水状態において、噴射口から加速噴流を噴射すると共に副水流導入口から副水流を導入すると、加速噴流の吸引負圧の影響を受けて副水流が噴射口近傍には供給され難い状況が生じる。始動時において副水流が噴射口近傍に供給されないと、水溜室の下流側壁面に衝突する副水流の流量及び流速が十分でなく、旋回流を形成するための駆動力が十分に発生しないという解決すべき課題が生じる。換言すると、始動時において副水流が噴射口近傍に供給されると、水溜室の下流側壁面に至るまでに拡散し、下流側壁面に十分な流量及び流速で衝突することになり、加速噴流に引きずられて放出される水量が減少し、旋回流を形成するための十分な流量及び流速が水溜室内に確保される。
【００１２】
上述した始動時における副水流の流量及び流速の不足は、始動時に一旦発生してしまうとその後定常化する傾向にあり、旋回流が水溜室内に十分に形成されない状態が継続する。この状態の継続は、大気泡の生成及び供給に影響を与え、水リッチ状態と空気リッチ状態とを交互に形成することができなくなってしまう恐れがある。
【００１３】
本発明はこのような課題に鑑みてなされたものであり、その目的は、大型のポンプや電磁弁を用いることなく、吐水に充分大きな流速変動を与えることができ、吐水から着水までの距離が短い場合であっても充分に大きな水塊を形成することが可能な吐水装置を提供するものであって、始動時においても所望の旋回流を確実に形成し、大気泡を加速噴流に対して間欠的に供給することにある。
【課題を解決するための手段】
【００１４】
上記課題を解決するために本発明に係る吐水装置は、人体に向けて水を吐出する吐水装置であって、（１）水を供給する給水路と、（２）前記給水路から供給された水を下流側に向けて加速させ、加速噴流として噴射する噴射口と、（３）前記噴射口の下流側に設けられ、前記加速噴流を外部に吐出する吐出口が設けられた吐出流路と、（４）前記噴射口と前記吐出流路との間に設けられ、前記噴射口から前記吐出流路に至る前記加速噴流が通過する経路である通水経路部及び前記通水経路部に隣接させて溜水を形成するための水溜部を有する水溜室と、（５）前記水溜部で少なくとも一つの大気泡を生成するとともに、この生成した大気泡を前記通水経路部に間欠的に供給する気泡供給手段と、を備える。
【００１５】
本発明における前記気泡供給手段は、（５ａ）前記水溜部に空気を導入する空気導入口と、（５ｂ）前記噴射口とは別に設けられ、前記噴射口から噴射される前記加速噴流の流速よりも低い流速の副水流を前記水溜部に導入する副水流導入口と、（５ｃ）前記副水流を前記通水経路部における前記噴射口寄りの位置に供給する副水流供給手段と、を有する。
【００１６】
本発明によれば、細かい気泡を洗浄水に混入するのではなく、加速噴流に大気泡を間欠的に供給し、その大気泡の中を加速噴流が貫通する空気リッチ通水状態と、大気泡ではなく溜水の中を加速噴流が通過する水リッチ通水状態とを交互に繰り返す状態を作り出すことができる。これによって、空気リッチ通水状態では、加速噴流が空気中を通過するため通水抵抗が低く、加速噴流の減速量を小さくすることができる。一方、水リッチ通水状態では、加速噴流が水中を通過するため通水抵抗が大きく、加速噴流の減速量を大きくすることができる。このような大気泡の生成及び大気泡の間欠的な供給という全く新しい技術に基づいて、加速噴流に対する通水抵抗に変動を与え、吐水に大きな流速変動を与えることができる。
【００１７】
空気導入口から導入した空気を水溜部に気泡として取り込むためには、水溜部が所定量の水で満たされ続けていることが必要となるが、加速噴流を水溜部に流れ込ませることでこの水を供給しようとすると、水溜部に流速の高い旋回流が発生し、この旋回流が気泡に強く衝突し、その勢いで気泡が大気泡に成長する前に空気導入口から切り離されてしまう。そこで本発明では、噴射口から噴射される加速噴流よりも流速の低い副水流を水溜部に導入する副水流導入口を設けている。これによって、加速噴流に大きく依存することなく水溜部を所定量の水で満たし続けることが可能になるため、水溜部に流速の高い旋回流が発生することを防止でき、導入した気泡状の空気に対して強い衝撃を与えず、導入した気泡状の空気を空気導入口と連通した状態を維持しながら時間経過とともに大きく成長させることができる。
【００１８】
更に本発明では、水溜室内に水が溜まっていない状態から水溜室内に水を供給し始める始動時においても水溜室内を確実に水で満たすために、副水流を通水経路部における噴射口寄りの位置に供給する副水流供給手段を設けている。副水流供給手段を設けることで、副水流を通水経路部における噴射口寄りの位置に供給するので、水溜室の下流側壁面に至るまでに副水流が拡散し、下流側壁面に十分な流量及び流速で衝突することになり、加速噴流に引きずられて吐出流路に直接放出される水量が減少し、旋回流を形成するための十分な流量及び流速が水溜室内に確保される。旋回流を形成するための十分な流量及び流速が確保されることで、旋回流を形成するための駆動力を確保することができ、結果として水溜室内に所望の旋回流を形成することが可能となり、より確実に加速噴流に対して大気泡を間欠供給することができる。
【００１９】
また本発明に係る吐水装置では、前記副水流供給手段は、前記通水経路部とは離隔した前記水溜部における前記噴射口寄りの位置に前記副水流を供給するように構成されていることも好ましい。
【００２０】
この好ましい態様によれば、通水経路部とは離隔した噴射口よりの水溜部に副水流を供給するので、加速噴流の近傍に強制的に必ず副水流が供給される状態ではなく、大気泡が通水経路部に供給された場合にはその大気泡が入り込む領域を確保できるように、副水流の流れる位置を調整することができる。従って、吐水開始時においては確実に噴射口寄りに副水流を供給する一方で、大気泡を通水経路部に供給する際にはその供給を阻害しないようにすることができる。
【００２１】
また本発明に係る吐水装置では、前記空気導入口は、導入した空気を大気泡として前記通水経路部の前記噴射口寄りの位置に供給するために前記水溜部における前記噴射口寄りの位置に配置されており、前記副水流導入口は、前記大気泡の生成を阻害しないように前記水溜部において前記空気導入口よりも前記吐出流路寄りの位置に配置されており、前記副水流供給手段は、前記副水流導入口から前記水溜部に導入された前記副水流を、前記加速噴流の進行方向と反対方向に誘導する副水流ガイド壁を有していることも好ましい。
【００２２】
この好ましい態様では、空気導入口を噴射口側に設けているので、空気導入口から導入した空気を大気泡として噴射口寄りに供給することができ、通水経路部の略全域に渡って大気泡を配置できるので、大気泡供給時の通水経路部の通水抵抗をより小さくすることができる。また、副水流導入口を水溜部における空気導入口よりも吐出口側に設けているので、空気導入口と副水流導入口とを離隔することができ、副水流によって大気泡の成長が阻害されることを抑制でき、より安定的に大気泡を生成することができる。更に、副水流導入口から導入された副水流を、加速噴流の進行方向と反対方向に誘導する副水流ガイド壁を設けているので、吐水開始時に副水流を確実に噴射口寄りの位置に供給することができる。
【００２３】
また本発明に係る吐水装置では、前記副水流ガイド壁は、前記副水流導入口から前記水溜部に導入された前記副水流が前記加速噴流の進行方向に沿って流れることを抑制する逆流防止壁を有することも好ましい。
【００２４】
この好ましい態様では、副水流導入口から導入された副水流が加速噴流の進行方向に沿って流れることを抑制する逆流防止壁を設けているので、より確実に吐水開始時に副水流を噴射口寄りの位置に供給することができる。
【００２５】
また本発明に係る吐水装置では、前記副水流ガイド壁は、前記水溜部に形成される旋回流が前記空気導入口の近傍を流れることができるように構成されていることも好ましい。
【００２６】
吐水開始後に水溜部に形成される旋回流は、空気導入口と連通した状態の空気を成長させて大気泡とすると共に、成長した大気泡を空気導入口から切り離す役割を果たすものである。そこでこの好ましい態様では、旋回流が空気導入口の近傍を流れることを許容するように構成することで、成長した大気泡を途中からではなく根元から切り離すことで、より大きな大気泡を供給することができる。
【００２７】
また本発明に係る吐水装置では、前記副水流ガイド壁は、前記水溜部に形成される旋回流が前記空気導入口に向かう流れとなるように案内する旋回流ガイド壁を有することも好ましい。
【００２８】
この好ましい態様では、旋回流を空気導入口に向かう流れとすることで、大気泡をより確実に根元から切り離すことが可能となり、より大きな大気泡を供給することができる。
【発明の効果】
【００２９】
本発明によれば、大型のポンプや電磁弁を用いることなく、吐水に充分大きな流速変動を与えることができ、吐水から着水までの距離が短い場合であっても充分に大きな水塊を形成することが可能な吐水装置を提供するものであって、始動時においても所望の旋回流を確実に形成し、大気泡を加速噴流に対して間欠的に供給することができる。
【図面の簡単な説明】
【００３０】
【図１】本発明の実施形態に係る吐水装置を示す概略斜視図である。
【図２】図１に示す吐水装置における吐水初速の変動を示す図である。
【図３】図１に示す吐水装置の吐水状態を模式的に示す図である。
【図４】図１に示す吐水装置が有する水溜室の第１実施形態に係る概略構成を模式的に示す図である。
【図５】図４に示す水溜室において吐水を開始する段階を示す図である。
【図６】図４に示す水溜室において図５に続く段階を示す図である。
【図７】図４に示す水溜室において図６に続く段階を示す図である。
【図８】図１に示す吐水装置が有する水溜室の第２実施形態に係る概略構成を模式的に示す図である。
【図９】図８に示す水溜室において吐水を開始する段階を示す図である。
【図１０】図８に示す水溜室において図９に続く段階を示す図である。
【図１１】図８に示す水溜室において図１０に続く段階を示す図である。
【図１２】図１に示す吐水装置が有する水溜室の第３実施形態に係る概略構成を模式的に示す図である。
【図１３】図１２に示す水溜室において吐水を開始する段階を示す図である。
【図１４】図１２に示す水溜室において図１３に続く段階を示す図である。
【図１５】図１２に示す水溜室において図１４に続く段階を示す図である。
【図１６】図１２に示す水溜室で噴流に気泡を供給する態様を説明するための図である。
【図１７】図１６のＡ―Ａ断面を示す図である。
【図１８】図１６のＢ―Ｂ断面を示す図である。
【図１９】図１６のＣ領域を拡大して示す図である。
【図２０】図１６のＤ―Ｄ断面を示す図である。
【発明を実施するための形態】
【００３１】
以下、添付図面を参照しながら本発明の実施の形態について説明する。説明の理解を容易にするため、各図面において同一の構成要素に対しては可能な限り同一の符号を付して、重複する説明は省略する。
【００３２】
本発明の実施形態である吐水装置について説明する。本発明に係る吐水装置は、人体に向けて水を吐出するものであって、大型のポンプを用いることなく、吐水に充分大きな流速変動を与えることができ、吐水から着水までの距離が短い場合であっても充分に大きな水塊を形成することが可能なものである。従って、本発明に係る吐水装置の応用範囲は多岐に渡るものであって、水塊となった吐水を人体に着水することが可能であって、節水効果と洗浄感向上とを両立できるあらゆるものに応用可能なものである。本実施形態の説明では、人体の局部洗浄を行う装置として本発明の吐水装置を応用した一例を説明する。本発明の趣旨に鑑みれば、本発明に係る吐水装置としてはこれに限られるものではない。
【００３３】
図１に示すように、本発明の実施形態に係る吐水装置としての局部洗浄装置ＷＡは、大便器ＣＢに載せて使用されるものである。局部洗浄装置ＷＡは、本体部ＷＡａと、便座ＷＡｂと、便蓋ＷＡｃと、リモコンＷＡｄとを備えている。本体部ＷＡａは、ノズルＮＺを有しており、ノズルＮＺを進退自在に保持している。本体部ＷＡａは、便座ＷＡｂ及び便蓋ＷＡｃを回動自在に保持している。
【００３４】
使用者は使用時に、便蓋ＷＡｃを図１に示すように便蓋ＷＡｃを上方に回動させ、便座ＷＡｂを露出させる。使用者は便座ＷＡｂに着座して用便をした後、リモコンＷＡｄを操作してノズルＮＺに形成された吐出口ＮＺａから吐水させ、自身の局部を洗浄する。使用者は局部洗浄後、リモコンＷＡｄを操作して吐出口ＮＺａからの吐水を停止する。その後使用者は、リモコンＷＡｄを操作して大便器ＣＢに洗浄水を流す。
【００３５】
本実施形態では、図１に示すように、吐水ＪＷの進行方向に沿ったＪ軸と、鉛直方向に沿ったＶ軸とを設定し、このＪ軸及びＶ軸を用いながら局部洗浄装置ＷＡの吐水態様について説明する。
【００３６】
本実施形態における吐水初速の変動態様の一例を図２に示す。図２に示すように、吐水初速を周期的に変動させることで、吐水初速が低い状態（図２のＦＷ）から高い状態（図２のＡＷ）に至るまでは、後続の吐水を先行する吐水に追い付かせる追い付き期間を形成している。周期的に発生する追い付き期間の間は、水塊の形成に寄与せず吐水する期間なので、本実施形態では便宜的に無駄水期間と呼称する。
【００３７】
図３に、図１に示す局部洗浄装置ＷＡの吐水状態を模式的に示す。本実施形態では、大型のポンプを使用することなく、吐水される水の流速を周期的に変動させて、大きな水塊を吐水対象部位に衝突させるように構成されている。
【００３８】
このように吐水される水の流速の変動が起こると、図３の（Ａ）に示すように、吐水ＪＷは、部位Ｗｐ１，部位Ｗｐ２，部位Ｗｐ３，部位Ｗｐ４，部位Ｗｐ５を含むものとなる。この各部位のそれぞれの流速を、Ｖ１，Ｖ２，Ｖ３，Ｖ４，Ｖ５とすると、Ｖ１（≒Ｖ５）＜Ｖ２（≒Ｖ４）＜Ｖ３となる。
【００３９】
よって、吐水直後から図３の（Ａ）〜（Ｃ）へと移行するにつれて、部位Ｗｐ３は部位Ｗｐ２より速度が大きいから、部位Ｗｐ３は部位Ｗｐ２と合体し、さらに部位Ｗｐ１と合体して大きな水塊となる。
【００４０】
このように最大流速の部位Ｗｐ３がその前の部位Ｗｐ２，部位Ｗｐ１と順次合体することにより、大きな塊となって、人体局部に着水することになる。この洗浄水は、人体局部に当たるときには、衝突エネルギ（洗浄強度）が大きい水塊状態となっている。この部位Ｗｐ３の流速Ｖ３は、最大流速であることから、脈動流で吐水された洗浄水は、合体した水塊の状態が脈動周期ごとに現れるような吐水形態で、吐出口ＮＺａから吐水されていることになる。しかも、脈動周期でこのような現象が起きることから、上記のように最大流速の部位Ｗｐ３の合体を経た水塊は繰り返し現れ、ある吐水タイミングでの水塊とその次の吐水タイミングでの部位Ｗｐ３の合体を経た水塊とはほぼ同じ速度で吐水されることになる。しかも、このそれぞれの水塊は、最大流速での部位Ｗｐ３に遅れて吐水された部位Ｗｐ４、部位Ｗｐ５で繋がれたような状態となる。
【００４１】
本実施形態に係る局部洗浄装置ＷＡは、大型のポンプを用いずに吐水の流速変化をつけ、上述したような繰り返し周期的に現れる水塊による吐水を行うものである。局部洗浄装置ＷＡは、図１に示したノズルＮＺの吐出口ＮＺａの上流側に、水溜室１０を有している。本実施形態に係る局部洗浄装置ＷＡは、水溜室１０によって気泡を供給することで吐水の流速変化をつけている。この水溜室１０の構成について、図４，図５，図６，図７を参照しながら説明する。図４は、第１実施形態に係る水溜室１０の概略構成を模式的に示す図である。図５は、図４に示す水溜室１０において吐水を開始する段階を示す図である。図６は、図４に示す水溜室１０において図５に続く段階を示す図である。図７は、図４に示す水溜室１０において図６に続く段階を示す図である。
【００４２】
図４に示すように水溜室１０は、空気管路１０１と、給水管路１０２（給水路）と、吐出管路１０３（吐出流路）と、を備えている。空気管路１０１、給水管路１０２、及び吐出管路１０３は、水溜室１０の内部に連通するように設けられた管路である。
【００４３】
水溜室１０は、全体としては略直方体の箱形状を成している。水溜室１０は、壁１０ｅと、壁１０ｆと、壁１０ｇと、壁１０ｈと、壁１０ｉと、壁１０ｊとを有している。図４には、壁１０ｅ，壁１０ｆ，壁１０ｇ，壁１０ｈのみが四角形を成すように描かれており、壁１０ｅと壁１０ｆとが直角を成して交わり、壁１０ｆと壁１０ｇとが直角を成して交わり、壁１０ｇと壁１０ｅとが直角をなして交わるように描かれている。壁１０ｉと壁１０ｊとは互いに対向する位置に配置される壁であって、壁１０ｅと、壁１０ｆと、壁１０ｇと、壁１０ｈと、を繋ぐように配置される壁である。
【００４４】
空気管路１０１は、水溜室１０に形成された空気導入口１０ａ（気泡供給手段）を介して、水溜室１０内部と連通している。空気導入口１０ａは、壁１０ｆと壁１０ｇとが突き合わされる角部近傍であって、壁１０ｇの上流側端に形成されている。
【００４５】
給水管路１０２は、噴射口１０ｂを介して、水溜室１０内部と連通している。噴射口１０ｂは、壁１０ｆと壁１０ｅとが突き合わされる角部近傍であって、壁１０ｆに形成されている。
【００４６】
吐出管路１０３は、水溜室側開口１０ｃを介して、水溜室１０内部と連通している。水溜室側開口１０ｃは、壁１０ｇと壁１０ｅとが突き合わされる角部近傍であって、壁１０ｆに形成されている。
【００４７】
空気管路１０１は、空気導入口１０ａと大気開放された開口とを繋ぐ管路である。空気管路１０１から導入される空気は、空気導入口１０ａから水溜室１０の内部に引き込まれる。
【００４８】
給水管路１０２は、噴射口１０ｂと給水源とを繋ぐ管路である。給水管路１０２は、その管路の途上若しくは噴射口１０ｂにおいて縮径されている。従って、給水管路１０２から供給される水は、その速度が高められ噴流ＷＳｍとして水溜室１０内に噴射される。
【００４９】
吐出管路１０３は、水溜室側開口１０ｃとノズルＮＺ（図１参照）に形成された吐出口ＮＺａとを繋ぐ管路である。本実施形態の場合、噴射口１０ｂと水溜室側開口１０ｃとは対向配置されている。従って、噴射口１０ｂから水溜室１０内に噴射される噴流ＷＳｍは、水溜室１０内をJ軸に沿って進行し、水溜室側開口１０ｃから吐出管路１０３に入る。吐出管路１０３に入った水は、J軸に沿って吐出管路１０３内を進行し、吐出口ＮＺａから外部へと吐出される。
【００５０】
上述したように、噴射口１０ｂから水溜室１０内に噴射される噴流ＷＳｍは、水溜室１０内をJ軸に沿って進行し、水溜室側開口１０ｃから吐出管路１０３に入る。従って、噴射口１０ｂから吐出口ＮＺａに至る噴流ＷＳｍが通過する経路である通水経路部１０５が形成される。本実施形態の場合、通水経路部１０５は、噴射口１０ｂと水溜室側開口１０ｃとを繋ぐ経路である。
【００５１】
水溜室１０内の通水経路部１０５を除いた残余の領域は、水溜部１０６となっている。水溜部１０６は、通水経路部１０５に隣接させて溜水を形成するための部分である。本実施形態の場合、水溜部１０６は、通水経路部１０５を囲むように形成されている。
【００５２】
本実施形態の場合、噴射口１０ｂ及び水溜室側開口１０ｃは、壁１０ｈと壁１０ｅとが突き合わされた部分に近接配置されている。一方、空気導入口１０ａは、壁１０ｆと壁１０ｇとが突き合わされた部分に近接配置されている。従って、噴射口１０ｂ及び水溜室側開口１０ｃと、空気導入口１０ａとは離隔配置されている。
【００５３】
更に本実施形態では、副水流を通水経路部１０５における噴射口１０ｂ寄りの位置に供給する副水流供給手段としての副水流供給口１０４が設けられている。副水流供給口１０４は、壁１０ｅと壁１０ｆとが突き合わされた部分に近接配置されている。副水流供給口１０４からは、噴射口１０ｂから供給される噴流ＷＳｍよりも低速の副水流ＷＳｓが供給される。
【００５４】
本実施形態に係る吐水装置は局部洗浄装置ＷＡであるから、水溜室１０の衛生保持のため、非使用時には水溜室１０から水を抜く。使用開始時には図４に示すように、水溜室１０に対して噴射口１０ｂから噴流ＷＳｍを供給すると共に副水流供給口１０４から副水流ＷＳｓを供給する。
【００５５】
図５に示すように、副水流ＷＳｓは噴流ＷＳｍに引っ張られて壁１０ｈに向い、副水流ＷＳｓは壁１０ｈに衝突する。続いて、図６に示すように、壁１０ｈに衝突した副水流ＷＳｓは壁１０ｈに沿って壁１０ｇ側に方向を転換し旋回流ＷＳｃを形成する。続いて、図７に示すように、水溜部１０６全体に渡って旋回流ＷＳｃが形成され、空気導入口１０ａから供給される空気によって形成される大気泡ＢＡの成長に寄与する。
【００５６】
本実施形態によれば、水溜室１０内に水が溜まっていない状態から水溜室１０内に水を供給し始める始動時においても水溜室１０内を確実に水で満たすために、副水流ＷＳｓを通水経路部１０５における噴射口１０ｂ寄りの位置に供給する副水流供給手段としての副水流導入口１０４を設けている。副水流導入口１０４を設けることで、副水流ＷＳｓを通水経路部１０５における噴射口１０ｂ寄りの位置に供給するので、水溜室１０の下流側壁面である壁１０ｈに至るまでに副水流ＷＳｓが拡散し、下流側壁面である壁１０ｈに十分な流量及び流速で衝突することになり、噴流ＷＳｍに引きずられて吐出管路１０３に直接放出される水量が減少し、旋回流ＷＳｃを形成するための十分な流量及び流速が水溜室１０内に確保される。旋回流ＷＳｃを形成するための十分な流量及び流速が確保されることで、旋回流ＷＳｃを形成するための駆動力を確保することができ、結果として水溜室１０内に所望の旋回流ＷＳｃを形成することが可能となり、より確実に噴流ＷＳｍに対して大気泡ＢＡを間欠供給することができる。
【００５７】
続いて、本発明の第２実施形態に係る水溜室１０Ａについて、図８，図９，図１０，図１１を参照しながら説明する。図８は、図１に示す吐水装置が有する第２実施形態に係る水溜室１０Ａの概略構成を模式的に示す図である。図９は、図８に示す水溜室１０Ａにおいて吐水を開始する段階を示す図である。図１０は、図８に示す水溜室１０Ａにおいて図９に続く段階を示す図である。図１１は、図８に示す水溜室１０Ａにおいて図１０に続く段階を示す図である。
【００５８】
図８〜図１１に示す水溜室１０Ａと、水溜室１０との相違点は、副水流導入口の位置の変更と、副水流ガイド壁を設けたことでるから、その相違点について主に説明する。図８に示すように、水溜室１０Ａでは、壁１０ｇと壁１０ｈとが突き合わされた近傍部分に、副水流導入口１０４Ａが設けられている。副水流ガイド壁１０７Ａは、壁１０ｇと壁１０ｅとの間において壁１０ｇと対向するように配置されている。壁１０ｇと副水流ガイド壁１０７Ａとの間に副水流導入口１０４Ａが設けられている。副水流ガイド壁１０７Ａは、壁１０ｈから壁１０ｆに向かって延びており、その先端は空気導入口１０ａとの間に距離ｍを保つように形成されている。
【００５９】
本実施形態に係る吐水装置は局部洗浄装置ＷＡであるから、水溜室１０Ａの衛生保持のため、非使用時には水溜室１０Ａから水を抜く。使用開始時には図８に示すように、水溜室１０に対して噴射口１０ｂから噴流ＷＳｍを供給すると共に副水流供給口１０４Ａから副水流ＷＳｓを供給する。副水流供給口１０４Ａから供給された副水流ＷＳｓは、副水流ガイド壁１０７Ａに沿って、噴流ＷＳｍの進行方向とは反対側に進む。
【００６０】
図９に示すように、副水流ガイド壁１０７Ａに沿って進行した副水流ＷＳｓは、副水流ガイド壁１０７Ａの端部から流れ落ち、通水経路部１０５における噴射口１０ｂ側に向かう。その後、副水流ＷＳｓは噴流ＷＳｍに引っ張られて壁１０ｈに向い、副水流ＷＳｓは壁１０ｈに衝突する。続いて、図１０に示すように、壁１０ｈに衝突した副水流ＷＳｓは壁１０ｈに沿って壁１０ｇ側に方向を転換すると共に、副水流ガイド壁１０７Ａに衝突し、旋回流ＷＳｃを形成する。続いて、図１１に示すように、水溜部１０６全体に渡って旋回流ＷＳｃが形成され、空気導入口１０ａから供給される空気によって形成される大気泡ＢＡの成長に寄与する。
【００６１】
本実施形態では、副水流供給手段である副水流供給口１０４Ａ及び副水流ガイド壁１０７Ａは、通水経路部１０５とは離隔した水溜部１０６における噴射口１０ｂ寄りの位置に副水流ＷＳｓを供給するように構成されている。
【００６２】
通水経路部１０５とは離隔した噴射口１０ｂよりの水溜部１０６に副水流ＷＳｓを供給するので、噴流ＷＳｍの近傍に強制的に必ず副水流ＷＳｓが供給される状態ではなく、大気泡ＢＡが通水経路部１０５に供給された場合にはその大気泡ＢＡが入り込む領域を確保できるように、副水流ＷＳｓの流れる位置を調整することができる。従って、吐水開始時においては確実に噴射口１０ｂ寄りに副水流ＷＳｓを供給する一方で、大気泡ＢＡを通水経路部１０５に供給する際にはその供給を阻害しないようにすることができる。
【００６３】
また、空気導入口１０ａは、導入した空気を大気泡として通水経路部１０５の噴射口１０ｂ寄りの位置に供給するために水溜部１０６における噴射口１０ｂ寄りの位置に配置されており、副水流導入口１０４Ａは、大気泡ＢＡの生成を阻害しないように水溜部１０６において空気導入口１０ａよりも吐出管路１０３寄りの位置に配置されている。水溜室１０Ａには、副水流導入口１０４Ａから水溜部１０６に導入された副水流ＷＳｓを、噴流ＷＳｍの進行方向と反対方向に誘導する副水流ガイド壁１０７Ａが設けられている。
【００６４】
空気導入口１０ａを噴射口１０ｂ側に設けているので、空気導入口１０ａから導入した空気を大気泡ＢＡとして噴射口１０ａ寄りに供給することができ、通水経路部１０５の略全域に渡って大気泡ＢＡを配置できるので、大気泡供給時の通水経路部１０５の通水抵抗をより小さくすることができる。また、副水流導入口１０４Ａを水溜部１０６における空気導入口１０ａよりも吐出管路１０３側に設けているので、空気導入口１０ａと副水流導入口１０４Ａとを離隔することができ、副水流ＷＳｓによって大気泡ＢＡの成長が阻害されることを抑制でき、より安定的に大気泡ＢＡを生成することができる。更に、副水流導入口１０４Ａから導入された副水流ＷＳｓを、噴流ＷＳｍの進行方向と反対方向に誘導する副水流ガイド壁１０７Ａを設けているので、吐水開始時に副水流ＷＳｓを確実に噴射口１０ｂ寄りの位置に供給することができる。
【００６５】
また、副水流ガイド壁１０７Ａは、副水流導入口１０４Ａから水溜部１０６に導入された副水流ＷＳｓが噴流ＷＳｍの進行方向に沿って流れることを抑制する逆流防止壁としても機能している。このように、副水流導入口１０４Ａから導入された副水流ＷＳｓが噴流ＷＳｍの進行方向に沿って流れることを抑制する逆流防止壁として機能する副水流ガイド壁１０７Ａを設けているので、より確実に吐水開始時に副水流ＷＳｓを噴射口１０ｂ寄りの位置に供給することができる。
【００６６】
続いて、本発明の第３実施形態に係る水溜室１０Ｂについて、図１２，図１３，図１４，図１５を参照しながら説明する。図１２は、図１に示す吐水装置が有する第３実施形態に係る水溜室１０Ｂの概略構成を模式的に示す図である。図１３は、図１２に示す水溜室１０Ｂにおいて吐水を開始する段階を示す図である。図１４は、図１２に示す水溜室１０Ｂにおいて図１３に続く段階を示す図である。図１５は、図１２に示す水溜室１０Ｂにおいて図１４に続く段階を示す図である。
【００６７】
図１２〜図１５に示す水溜室１０Ｂと、水溜室１０との相違点は、副水流導入口の位置の変更と、副水流ガイド壁及び旋回流ガイド壁を設けたことでるから、その相違点について主に説明する。図１２に示すように、水溜室１０Ｂでは、壁１０ｇと壁１０ｈとが突き合わされた近傍部分に、副水流導入口１０４Ｂが設けられている。副水流ガイド壁１０７Ｂは、壁１０ｇと壁１０ｅとの間において壁１０ｇと対向するように配置されている。壁１０ｇと副水流ガイド壁１０７Ｂとの間に副水流導入口１０４Ｂが設けられている。副水流ガイド壁１０７Ｂは、壁１０ｈから壁１０ｆに向かって延びており、その先端は空気導入口１０ａとの間に距離ｎを保つように形成されている。旋回流ガイド壁１０８Ｂは、副水流ガイド壁１０７Ｂの先端から水溜室側開口１０３の直上に向かって延びる壁であって、壁１０ｈに繋がっている。
【００６８】
本実施形態に係る吐水装置は局部洗浄装置ＷＡであるから、水溜室１０Ｂの衛生保持のため、非使用時には水溜室１０Ｂから水を抜く。使用開始時には図１２に示すように、水溜室１０に対して噴射口１０ｂから噴流ＷＳｍを供給すると共に副水流供給口１０４Ｂから副水流ＷＳｓを供給する。副水流供給口１０４Ｂから供給された副水流ＷＳｓは、副水流ガイド壁１０７Ｂに沿って、噴流ＷＳｍの進行方向とは反対側に進む。
【００６９】
図１３に示すように、副水流ガイド壁１０７Ｂに沿って進行した副水流ＷＳｓは、副水流ガイド壁１０７Ｂの端部から流れ落ち、通水経路部１０５における噴射口１０ｂ側に向かう。その後、副水流ＷＳｓは噴流ＷＳｍに引っ張られて壁１０ｈに向い、副水流ＷＳｓは壁１０ｈに衝突する。続いて、図１４に示すように、壁１０ｈに衝突した副水流ＷＳｓは壁１０ｈに沿って壁１０ｇ側に方向を転換すると共に、旋回流ＷＳｃを形成する。旋回流ＷＳｃは、旋回流ガイド壁１０８Ｂに沿って流れ、空気導入口１０ａに向かう。続いて、図１５に示すように、水溜部１０６全体に渡って旋回流ＷＳｃが形成され、空気導入口１０ａから供給される空気によって形成される大気泡ＢＡの成長に寄与する。
【００７０】
続いて、図１６を参照しながら、水溜室１０Ｂにおいて大気泡が成長する過程を説明する。図１６は、図１２に示す水溜室１０Ｂで噴流ＷＳｍに気泡ＢＡを供給する態様を説明するための図である。
【００７１】
図１６の（Ａ）に示すように、旋回流ＷＳｃが形成され、空気導入口１０ａから空気が水溜部１０６内に導入される。ここで、図１６（Ａ）のＡ―Ａ断面を図１７に示す。図１７に示す状態では、噴流ＷＳｍは、溜水ＰＷの中を進行しており、溜水ＰＷからの抵抗を受けながら水溜室側開口１０ｃに向かっている。水溜室側開口１０ｃに至った噴流ＷＳｍは、吐出管路１０３内に入り、吐出管路１０３の内壁面と接触した状態で進行している。
【００７２】
図１６の（Ａ）に示す状態では、気泡ＢＡは小さい。図１６の（Ａ）に示す状態から更に時間が進行すると、図１６の（Ｂ）に示すように細長形状に気泡ＢＡが成長する。気泡ＢＡは、噴流ＷＳｍにその下端が近づくまで成長している。従って、旋回流ＷＳｃが旋回可能な領域は、図１６の（Ａ）に示す状態よりは狭まっている。旋回流ＷＳｃは、旋回流速が速くなり、且つ噴流ＷＳｍの流れを阻害しない方向に旋回している。図１６（Ｂ）のＢ―Ｂ断面を図１８に、図１６（Ｂ）のＣ領域を図１９にそれぞれ示す。
【００７３】
図１８に示すように、細長形状の気泡ＢＡは、水溜室１０の空気導入口１０ａから噴射口１０ｂに向かって伸びる４つの壁１０ｆ，１０ｉ，１０ｊ，１０ｇの内の３つの壁１０ｆ，１０ｉ，１０ｊに接触して成長している。従って、旋回流ＷＳｃに接触する面は、副水流導入口１０ｄに向かう面のみとなっている。
【００７４】
図１９に示すように、細長形状に成長した気泡ＢＡは、鉛直方向であるＶ軸方向に浮力が作用する。旋回流ＷＳｃは、この浮力に抗するように気泡ＢＡに作用している。従って、気泡ＢＡは、水溜室１０の空気導入口１０ａから噴射口１０ｂに向かって伸びる４つの壁１０ｆ，１０ｉ，１０ｊ，１０ｇの内の３つの壁１０ｆ，１０ｉ，１０ｊに接触した状態を保つことができる。
【００７５】
図１６の（Ｂ）に示す状態から更に時間が進行すると、図１６の（Ｃ）に示すように細長形状の気泡ＢＡが噴流ＷＳｍに近づき干渉し始める。気泡ＢＡは、噴流ＷＳｍに引っ張られ、通水経路部１０５に入り込む。従って、気泡ＢＡが入り込んだ分の水が押し退けられることになり、旋回流ＷＳｃの旋回流速が速くなる。本実施形態においては、旋回流ＷＳｃの流速がある程度速くなると、空気導入口１０ａから水が逆流し、空気の供給を一時的に遮断するように構成されている。旋回流ガイド壁１０８Ｂを設けているのは、このように一時的に空気導入口１０ａに水を逆流させ、空気の供給を一時的に遮断するためでもある。
【００７６】
本実施形態の場合、旋回流ガイド壁１０８Ｂは少なくともその一部がガイド壁面として機能するように構成されている。本実施形態では、空気導入口１０ａ近傍における旋回流ＷＳｃ上流側のガイド壁面である旋回流ガイド壁１０８Ｂを、空気導入口１０ａから導入される空気の上流側における空気導入方向と略沿うように形成している。本明細書において、「旋回流ガイド壁１０８Ｂが空気導入方向と略沿うように」とは、空気導入方向と旋回流ＷＳｃ上流側の水流方向とが対向するような配置関係を指しており、空気導入方向に対して水流方向が直交するものや、空気導入方向に対して水流方向が完全に沿うものは含まない概念である。
【００７７】
また、旋回流ガイド壁１０８Ｂは、空気導入方向と旋回流上流側の水流方向とが斜めにずれて対向するように構成されている。また、旋回流ガイド壁１０８Ｂは、水溜部１０６における吐出管路１０３（吐出流路）の近傍と空気導入口１０ａの近傍とを繋ぎ、屈曲部を有さない連続面で構成されている。
【００７８】
図１６の（Ｃ）に示す状態から更に時間が進行すると、図１６の（Ｄ）に示すように気泡ＢＡが噴流ＷＳｍに完全に引き込まれ、気泡ＢＡは通水経路部１０５の略全域に渡って存在する。旋回流速が高まった旋回流ＷＳｃは、気泡ＢＡを引きちぎることになる。図１６（Ｄ）のＤ―Ｄ断面を図２０に示す。
【００７９】
図２０に示すように、噴流ＷＳｍは気泡ＢＡを貫通している。このように噴流ＷＳｍが気泡ＢＡを貫通することで、噴流ＷＳｍ周りの抵抗が低下し、噴流ＷＳｍは速度を低下させずに吐出口ＮＺａに向かうことができる。もっとも、図２０に例示するような、噴流ＷＳｍが気泡ＢＡを完全に貫通する状態が必須なものではなく、噴流ＷＳｍの周囲の多くの部分を気泡ＢＡによって囲むことができればよく、一部において溜水ＰＷと接触する状態であっても構わないものである。
【００８０】
図１６の（Ｄ）に示す状態では、通水経路部１０５の水を気泡ＢＡが押し出しており、旋回流ＷＳｓの流速は依然として速いままである。従って、空気導入口１０ａからは水が逆流し、空気の供給が遮断された状態が継続している。
【００８１】
図１６の（Ｄ）に示す状態から更に時間が進行すると、図１６の（Ｅ）に示すように気泡ＢＡが噴流ＷＳｍに引き込まれるように吐出管路１０３に向かい、気泡ＢＡが吐出管路１０３に入り込む。気泡ＢＡは、通水経路部１０５よりも広い流路断面積となるように形成されているので、水溜室側開口１０ｃの外周に引っかかりながら吐出管路１０３に向かう。このように水溜室側開口１０ｃの外周に引っかかった気泡ＢＡは、噴流ＷＳｍによって後方から押し込まれたり、溜水ＰＷからの圧力を受けて押し込まれたりしながら、吐出管路１０３に入っていくことになる。
【００８２】
図１６の（Ｄ）に示す状態では、通水経路部１０５から気泡ＢＡが排出されるので、通水経路部１０５に水が入り込み、旋回流ＷＳｃは通水経路部１０５に向かう流速は速くなるものの、残余の旋回流部分は流速が遅くなる。従って、空気導入口１０ａからの水の逆流は抑制され、空気の再供給が開始される。
【００８３】
気泡ＢＡが吐出管路１０３内に入り込むと、吐出管路１０３の内壁に沿って空気の膜を形成し、噴流ＷＳｍはその膜の中を進行する。従って、噴流ＷＳｍが吐出管路１０３の内壁から受ける抵抗が減少し、噴流ＷＳｍは減速されずに吐出口ＮＺａに向かう。もっとも、噴流ＷＳｍを気泡ＢＡが完全に包むような状態が必須なものではなく、噴流ＷＳｍの周囲の多くの部分を気泡ＢＡによって囲むことができればよく、一部において吐出管路１０３と接触する状態であっても構わないものである。
【００８４】
図１６の（Ｅ）に示す状態から気泡ＢＡが更に吐出管路１０３の下流側に進行すると、次の気泡ＢＡが空気管路１０１から取り込まれ、図１６の（Ａ）の状態に戻る。本実施形態では、図１６（Ａ）〜（Ｅ）を参照しながらした説明による気泡ＢＡの動きが周期的に繰り返される。
【００８５】
水溜室１０Ｂでは、旋回流ガイド壁１０８Ｂは、水溜部１０６に形成される旋回流ＷＳｃが空気導入口１０の近傍を流れることができるように構成されている。
【００８６】
吐水開始後に水溜部１０６に形成される旋回流ＷＳｃは、空気導入口１０ａと連通した状態の空気を成長させて大気泡とすると共に、成長した大気泡を空気導入口１０ａから切り離す役割を果たすものである。そこで、旋回流ＷＳｃが空気導入口１０ａの近傍を流れることを許容するように構成することで、成長した大気泡を途中からではなく根元から切り離すことで、より大きな大気泡を供給することができる。
【００８７】
また、副水流ガイド壁１０７Ｂは、水溜部１０６に形成される旋回流ＷＳｃが空気導入口１０ａに向かう流れとなるように案内する旋回流ガイド壁１０８Ｂを有している。
【００８８】
このように、旋回流ＷＳｃを空気導入口１０ａに向かう流れとすることで、大気泡ＢＡをより確実に根元から切り離すことが可能となり、より大きな大気泡ＢＡを供給することができる。
【符号の説明】
【００８９】
ＷＡ：局部洗浄装置（吐水装置）
ＷＡａ：本体部
ＷＡｂ：便座
ＷＡｃ：便蓋
ＷＡｄ：リモコン
ＮＺ：ノズル
ＮＡａ：吐出口
ＣＢ：大便器
ＪＷ：吐水
１０：水溜室
１０ａ：空気導入口
１０ｂ：噴射口
１０ｃ：水溜室側開口
１０１：空気管路
１０２：給水管路
１０３：吐出管路
１０４：副水流導入口
１０５：通水経路部
１０６：水溜部
１０７Ａ：副水流ガイド壁
ＰＷ：溜水
ＢＡ：気泡
ＷＳｍ：噴流
ＷＳｓ：副水流
ＷＳｃ：旋回流
【図１】
2014070332.tif 000003
【図２】
2014070332.tif 000004
【図３】
2014070332.tif 000005
【図４】
2014070332.tif 000006
【図５】
2014070332.tif 000007
【図６】
2014070332.tif 000008
【図７】
2014070332.tif 000009
【図８】
2014070332.tif 000010
【図９】
2014070332.tif 000011
【図１０】
2014070332.tif 000012
【図１１】
2014070332.tif 000013
【図１２】
2014070332.tif 000014
【図１３】
2014070332.tif 000015
【図１４】
2014070332.tif 000016
【図１５】
2014070332.tif 000017
【図１６】
2014070332.tif 000018
【図１７】
2014070332.tif 000019
【図１８】
2014070332.tif 000020
【図１９】
2014070332.tif 000021
【図２０】
2014070332.tif 000022